(57)【要約】【解決手段】脱ぷ処理状態Ｐにおいて、脱ぷ装置３の出口２１と選別装置４の入口とを互いに分離するとともに、選別装置４の風口を脱ぷ装置３の出口２１に対し分離して、台２上に脱ぷ装置３と選別装置４とを互いに独立して並設している。脱ぷ装置３のみを独立して機能させて、玄米と籾殻とを含む混合米を玄米と籾殻との選別前に回収する。脱ぷ後は、選別装置４を脱ぷ装置３に対し回動させる切替え操作により、選別装置４の風口を脱ぷ装置３の出口２１に対し接続して選別処理状態Ｑにすることができる。その選別処理状態Ｑにおいて、ファンによる脱ぷ装置３の出口２１からの風を選別装置４の風口で利用して選別装置４を機能させ、脱ぷされた混合米を玄米と籾殻とに選別してそれらを回収する。【効果】籾摺り選別機１を携帯に便利なように小型化することが可能となる。また、脱ぷ装置３と選別装置４とでファンを兼用して電力を節約することができる。【選択図】図１
2013039537.tif 000002
【特許請求の範囲】
【請求項１】
入口から供給された籾を脱ぷ室内のファンの回転により脱ぷして玄米と籾殻とを含む混合米を出口へ排出する脱ぷ装置と、入口から供給された混合米を選別室に風口から送られる風の力で比重差により選別して玄米と籾殻とをそれぞれ出口へ排出する選別装置とを互いに並設し、前記脱ぷ装置においてファンの回転により生じる風を出口から排出させ得る脱ぷ処理状態のほかに、その風を前記選別装置の風口へ排出させ得る選別処理状態を取り得ることを特徴とする籾摺り選別機。
【請求項２】
前記脱ぷ装置の出口と前記選別装置の入口とは互いに分離されていることを特徴とする請求項１に記載の籾摺り選別機。
【請求項３】
前記選別装置は脱ぷ処理状態と選別処理状態との間で前記脱ぷ装置に対し相対移動可能に設けられ、この選別装置の風口はこの脱ぷ装置の出口に対し脱ぷ処理状態で分離されるとともに選別処理状態で接続されることを特徴とする請求項２に記載の籾摺り選別機。
【請求項４】
前記選別装置の風口には選別処理状態で前記脱ぷ装置の出口から選別室に送られる風の力を弱める抵抗手段を設けたことを特徴とする請求項１から請求項３のうちいずれか一つの請求項に記載の籾摺り選別機。
【請求項５】
前記脱ぷ装置の入口には脱ぷ室への籾の供給を阻止する閉状態と許容する開状態とを取り得るシャッターを設け、前記選別装置の入口には選別室への混合米の供給を阻止する閉状態と許容する開状態とを取り得るシャッターを設けたことを特徴とする請求項１から請求項４のうちいずれか一つの請求項に記載の籾摺り選別機。
【請求項６】
前記脱ぷ装置の入口のシャッターは選別処理状態で閉状態を維持するように規制されることを特徴とする請求項５に記載の籾摺り選別機。
【請求項７】
前記脱ぷ装置において、ファンは脱ぷ室で鉛直軸を中心に回転し、入口は脱ぷ室上に配設されていることを特徴とする請求項１から請求項６のうちいずれか一つの請求項に記載の籾摺り選別機。
【発明の詳細な説明】
【技術分野】
【０００１】
本発明は、籾を脱ぷして玄米と籾殻とを含む混合米を排出する脱ぷ装置と、混合米を選別して玄米と籾殻とを排出する選別装置とを備えた籾摺り選別機に関するものである。
【背景技術】
【０００２】
農家の高齢化や米の低価格化などが原因して、稲作の委託及び請負が全国的に行なわれている。請負業者は、コンバインで本格的に稲を刈り取る前に現地の圃場などで少量の生籾を籾摺り選別することができれば、今年の稲の品質や刈取りの適正時期を現地の圃場などで知って、委託農家に説明することができる。営農であれば、今年の稲の品質を知ることにより事前に販売先を思案することもできる。
【先行技術文献】
【特許文献】
【０００３】
【特許文献１】特開２００９−３４５７０号公報
【発明の概要】
【発明が解決しようとする課題】
【０００４】
従来、例えば上記特許文献１で開示されているような大型の籾摺り選別機しか現存せず、現地の圃場などに簡単に持ち込んで少量の生籾を籾摺り選別することができる携帯に便利な小型籾摺り選別機は開発されていない。また、そのような大型の籾摺り選別機では、通常、風力を維持して籾を円滑に処理するために脱ぷ装置用のファンと選別装置用のファンとをそれぞれ必要とするので、それぞれのファンに電力を供給することができる電源設備を現地の圃場などに持ち込まなければならず、コンバインで本格的に稲を刈り取る前に現地の圃場などで少量の生籾を籾摺り選別する作業が困難になっていた。
【０００５】
この発明は、従来の籾摺り選別機とは設計思想を異にして、携帯に便利で且つ大きな電力を必要としない小型籾摺り選別機を提供することを目的としている。
【課題を解決するための手段】
【０００６】
後記実施形態の図面（図１〜７）の符号を援用して本発明を説明する。
請求項１の発明にかかる籾摺り選別機（１）は、入口（２０）から供給された籾を脱ぷ室（８）内のファン（９）の回転により脱ぷして玄米と籾殻とを含む混合米を出口（２１）へ排出する脱ぷ装置（３）と、入口（３０）から供給された混合米を選別室（２６，２７）に風口（２５）から送られる風の力で比重差により選別して玄米と籾殻とをそれぞれ出口（２９，３１）へ排出する選別装置（４）とを互いに並設している。前記脱ぷ装置（３）においてファン（９）の回転により生じる風を出口（２１）から排出させ得る脱ぷ処理状態（Ｐ）のほかに、その風を前記選別装置（４）の風口（２５）へ排出させ得る選別処理状態（Ｑ）を取り得る。
【０００７】
請求項１の発明では、例えば台（２）上に脱ぷ装置（３）と選別装置（４）とを互いに独立して並設し、脱ぷ処理状態（Ｐ）で脱ぷ装置（３）のみを独立して機能させることができるばかりではなく、脱ぷ後に選別処理状態（Ｑ）で脱ぷ装置（３）からの風を有効に利用して選別装置（４）を機能させることができるので、籾摺り選別機（１）を携帯に便利なように小型化することが可能となる。しかも、脱ぷ装置（３）と選別装置（４）とでファン（９）を兼用しているので、従来の大型の籾摺り選別機とは異なり大きな電力を必要とせず、コンバインで本格的に稲を刈り取る前に現地の圃場などで少量の生籾を籾摺り選別する作業を容易に行なうことができる。
【０００８】
請求項１の発明を前提とする請求項２の発明において、前記脱ぷ装置（３）の出口（２１）と前記選別装置（４）の入口（３０）とは互いに分離されている。請求項２の発明では、脱ぷ処理状態（Ｐ）で脱ぷ装置（３）のみを独立して機能させて玄米と籾殻とを含む混合米を玄米と籾殻との選別前に回収することができるとともに、必要に応じて出口（２１）と入口（３０）とを管などで互いに接続すれば、その混合米を入口（３０）に自動供給することができる。
【０００９】
請求項２の発明を前提とする請求項３の発明において、前記選別装置（４）は脱ぷ処理状態（Ｐ）と選別処理状態（Ｑ）との間で前記脱ぷ装置（３）に対し相対移動可能に設けられ、この選別装置（４）の風口（２５）はこの脱ぷ装置（３）の出口（２１）に対し脱ぷ処理状態（Ｐ）で分離されるとともに選別処理状態（Ｑ）で接続される。請求項３の発明では、脱ぷ装置（３）に対し選別装置（４）を相対移動させるだけで、脱ぷ処理状態（Ｐ）と選別処理状態（Ｑ）とに容易に切り替えることができる。
【００１０】
請求項１から請求項３のうちいずれか一つの請求項の発明を前提とする請求項４の発明において、前記選別装置（４）の風口（２５）には選別処理状態（Ｑ）で前記脱ぷ装置（３）の出口（２１）から選別室（２６，２７）に送られる風の力を弱める抵抗手段（２５ａ）を設けている。例えば、抵抗手段として、通風面積を狭めるために、複数の通風孔とその通風孔の周囲の抵抗部を形成した抵抗板（２５ａ）を利用する。請求項４の発明では、脱ぷ室（８）で籾を円滑に脱ぷすることができる風力のまま出口（２１）から風口（２５）に風を送っても、抵抗手段（２５ａ）で弱められた風により選別室（２６，２７）で混合米を円滑に選別して玄米と籾殻とに分離することができる。
【００１１】
請求項１から請求項４のうちいずれか一つの請求項の発明を前提とする請求項５の発明において、前記脱ぷ装置（３）の入口（２０）には脱ぷ室（８）への籾の供給を阻止する閉状態（Ｂ）と許容する開状態（Ａ）とを取り得るシャッター（１７）を設け、前記選別装置（４）の入口（３０）には選別室（２６，２７）への混合米の供給を阻止する閉状態（Ｂ）と許容する開状態（Ａ）とを取り得るシャッター（３２）を設けている。請求項５の発明では、シャッター（１７）により、入口（２０）から脱ぷ室（８）に供給する籾の量を調整して籾の脱ぷ機能を高めることができ、また、シャッター（３２）により、入口（３０）から選別室（２６，２７）に供給する混合米の量を調整して玄米と籾殻との分離機能を高めることができる。
【００１２】
請求項５の発明を前提とする請求項６の発明において、前記脱ぷ装置（３）の入口（２０）のシャッター（１７）は選別処理状態（Ｑ）で閉状態（Ｂ）を維持するようにストッパ（３７）などにより規制される。請求項６の発明では、選別処理状態（Ｑ）で脱ぷ装置（３）の入口（２０）に籾が不用意に供給されても、その籾が脱ぷ装置（３）の出口（２１）を経て選別装置（４）の風口（２５）から選別室（２６，２７）へ入り込んで入口（３０）から供給された混合米と混ざり合うおそれはなくなる。従って、入口（３０）から供給された混合米のみを選別室（２６，２７）で選別して玄米と籾殻との分離機能を高めることができる。
【００１３】
請求項１から請求項６のうちいずれか一つの請求項の発明を前提とする請求項７の発明にかかる脱ぷ装置（３）において、ファン（９）は脱ぷ室（８）で鉛直軸（１０）を中心に回転し、入口（２０）は脱ぷ室（８）上に配設されている。例えば、籾はファン（９）の鉛直軸（１０）の周辺でファン（９）内の羽根室（１４）に入口（２０）から供給される。請求項７の発明では、入口（２０）から脱ぷ室（８）に供給された籾が鉛直軸（１０）の外周で平均的に分散して脱ぷされるため、籾の脱ぷ機能を高めることができる。
【発明の効果】
【００１４】
本発明は、互いに並設した脱ぷ装置（３）と選別装置（４）とのうち、脱ぷ装置（３）のみを独立して機能させることができるばかりでなく、脱ぷ後に脱ぷ装置（３）からの風を有効に利用して選別装置（４）を機能させることができる設計思想を採用して、携帯に便利で且つ大きな電力を必要としない小型籾摺り選別機（１）を提供することができる。
【図面の簡単な説明】
【００１５】
【図１】（ａ）は本実施形態にかかる籾摺り選別機において脱ぷ処理状態を示す平面図であり、（ｂ）は同じく選別処理状態を示す平面図である。
【図２】（ａ）は本実施形態にかかる籾摺り選別機において脱ぷ処理状態を示す正面図であり、（ｂ）は同じく選別処理状態を示す正面図である。
【図３】（ａ）は本実施形態にかかる籾摺り選別機において脱ぷ処理状態を示す一部切欠き側面図であり、（ｂ）は同じく選別処理状態を示す一部切欠き側面図である。
【図４】図２（ａ）に示す脱ぷ処理状態を正面側から見た断面図である。
【図５】図１（ａ）に示す脱ぷ処理状態を平面側から見た断面図である。
【図６】図２（ｂ）に示す選別処理状態を正面側から見た断面図である。
【図７】図１（ｂ）に示す選別処理状態を平面側から見た断面図である。
【発明を実施するための形態】
【００１６】
以下、本発明の一実施形態にかかる籾摺り選別機について図面を参照して説明する。
籾摺り選別機１は、台２上で互いに並設された脱ぷ装置３と選別装置４とを備え、図１（ａ）、図２（ａ）及び図３（ａ）に示す格納運搬状態における平面視の縦横幅寸法や正面視及び側面視の高さ寸法がそれぞれ約３００ｍｍ前後に抑えられて携帯に便利な小型となるように設計されている。その脱ぷ装置３と選別装置４とは、図１（ａ）、図２（ａ）、図３（ａ）、図４及び図５に示す脱ぷ処理状態Ｐで互いに分離され、図１（ｂ）、図２（ｂ）、図３（ｂ）、図６及び図７に示す選別処理状態Ｑで互いに結合される。
【００１７】
脱ぷ処理状態Ｐにある脱ぷ装置３においては、台２上に載設された軸受収容筒５上に脱ぷ筒６が取着されているとともに、脱ぷ筒６上にホッパー７が取着され、脱ぷ筒６内に形成された脱ぷ室８にファン９が収容されている。ファン９は、軸受収容筒５から脱ぷ室８に延びる回転軸１０（鉛直軸）を中心に回転する。台２上に載設された電動モータ１１の回転は台２の内側で回転軸１０に伝えられる。ファン９においては、上板１２と下板１３との間に形成された羽根室１４で複数の羽根１５が回転軸１０を中心に回転方向へ等間隔に配設され、羽根室１４の外周が各羽根１５間で脱ぷ室８に開放されている。脱ぷ筒６の内周にはゴムライニング１６がファン９の外周に沿って貼られている。脱ぷ筒６とホッパー７との間には開口１７ａを有するシャッター１７が台２上の支軸１８を中心に手動操作により回動可能に支持されている。シャッター１７の下方で脱ぷ筒６に設けられた口筒１９が回転軸１０の中心で脱ぷ室８を通してファン９の上板１２から羽根室１４に挿入され、口筒１９の外周に形成された供給口１９ａが羽根室１４に開放されている。シャッター１７は、ホッパー７の底部に形成された籾の入口２０に対し口筒１９が開口１７ａを介して連通する開状態Ａと遮断される閉状態Ｂとを取り得る。脱ぷ筒６の外周には玄米と籾殻とを含む混合米の出口２１がファン９の回転方向に対する接線方向に沿って開放されている。出口２１の外周には接続板２２が取着されている。ファン９の回転により脱ぷ室８で生じる風は出口２１から排出される。
【００１８】
脱ぷ処理状態Ｐにある選別装置４の全体は、シャッター１７の回動中心でもある支軸１８を中心に台２上で回動可能に支持され、選別装置４を形成する箱２３で台２上の磁石２４により保持されている。箱２３には脱ぷ筒６の出口２１が開放された向きに対し直角に向いて開放された風口２５が形成されている。風口２５には網状に打ち抜かれた抵抗板２５ａ（抵抗手段）が嵌め込まれている。抵抗板２５ａには、通風面積を狭めるために、複数の通風孔とその通風孔の周囲の抵抗部が形成されている。風口２５は出口２１に対し分離されているため、脱ぷ室８で生じた風は風口２５に送られない。
【００１９】
そのほか選別装置４の箱２３においては、図６に示すように、風口２５から横向きに延びる導入通路２６（選別室）と、導入通路２６に対し斜め上方へ延びる浮遊通路２７（選別室）とが互いに一連に設けられているとともに、これらの通路２６，２７の上方には脱ぷ筒６の出口２１に対し分離されたホッパー２８が設けられている。浮遊通路２７の上端部には籾殻の排出口２９が設けられている。これらの通路２６，２７の交差部の付近で、ホッパー２８の底部に混合米の入口３０が設けられているとともに、入口３０の下方で玄米の排出口３１が設けられている。ホッパー２８内には閉塞部３２ａにより入口３０を開閉するシャッター３２が手動操作によりスライド可能に支持されている。シャッター３２の下端部には閉塞部３２ａがホッパー２８の底部に当接して入口３０を閉じた状態でその底部に対し若干離間する落下規制部３２ｂが閉塞部３２ａに対し収容室３２ｃをあけて形成されている。シャッター３２は、ホッパー２８の底部に形成された混合米の入口３０に対し導入通路２６が連通する開状態Ａと遮断される閉状態Ｂとを取り得る。導入通路２６と浮遊通路２７との交差部でそれらの通路２６，２７や入口３０や排出口３１を外側から見ることができる窓３３が図２（ｂ）に示すように箱２３に設けられている。排出口２９で箱２３には支持腕３４が回動可能に支持されて図３（ａ）に示す垂下状態と図２（ｂ）に示す突出状態とを取り得る。
【００２０】
なお、籾摺り選別機１を稼働させる電源としては、現地の圃場などに持ち込む自動車のシガレットソケット及びバッテリーや、屋内における家庭用１００Ｖ電源などを利用することができる。
【００２１】
まず、脱ぷ処理状態Ｐにある籾摺り選別機１により、籾を脱ぷして玄米と籾殻とを含む混合米を回収する場合について述べる。
脱ぷ筒６の出口２１には予め収容袋３５が被せられ、出口２１と収容袋３５の口部とが磁石により互いに吸着されて保持される。シャッター１７によりホッパー７の入口２０を閉じた閉状態Ｂでホッパー７に少量の籾を供給した後、シャッター１７を開状態Ａにしてホッパー７の入口２０を開くと、ホッパー７の籾はシャッター１７の開口１７ａから口筒１９に落下して脱ぷ室８で供給口１９ａからファン９の回転軸１０の周辺で羽根室１４に供給される。羽根室１４の籾は、ファン９の回転により羽根１５と衝突して脱ぷされ、玄米と籾殻とを含む混合米として出口２１から排出されて収容袋３５に回収される。
【００２２】
次に、選別処理状態Ｑにある籾摺り選別機１により、脱ぷされた混合米を玄米と籾殻とに選別してそれらを回収する場合について述べる。
脱ぷ処理状態Ｐにある選別装置４の全体を台２上で支軸１８を中心に９０度回動させて箱２３を台２上の磁石２４から離し、箱２３の風口２５を脱ぷ筒６の出口２１に対向させて箱２３を出口２１側の接続板２２に対し止め具３６により係止すると、風口２５が出口２１に接続されて籾摺り選別機１が選別処理状態Ｑとなり、脱ぷ室８で生じた風を出口２１から風口２５に送ることができる。その際、脱ぷ装置３においてシャッター１７は、箱２３に設けられたストッパ３７に当接するため、閉状態Ｂを維持してホッパー７の入口２０を常に閉じ、その入口２０から脱ぷ室８への籾の供給を阻止する。また、箱２３の支持腕３４を垂下状態から突出状態にしてその支持腕３４に収容袋３８を被せる。
【００２３】
そのような籾摺り選別機１の選別処理状態Ｑにおいて、前述した脱ぷ処理で収容袋３５に回収した混合米をホッパー２８に供給する。ホッパー２８では、混合米が落下規制部３２ｂに当たった後に収容室３２ｃで閉塞部３２ａに当たって溜まる。その後、シャッター３２の閉塞部３２ａをホッパー２８の入口３０に対し開くと、混合米が収容室３２ｃに少しずつ補充されながら入口３０から落下し、出口２１から風口２５に送られた風が抵抗板２５ａにより弱められながら導入通路２６と浮遊通路２７との交差部で混合米に衝突する。混合米はその風の力で比重差により選別され、玄米より軽い籾殻は風の力で玄米から分離されて浮遊通路２７に浮き上がり、排出口２９に運ばれて収容袋３８に回収されるとともに、籾殻より重い玄米は籾殻から分離されてそのまま排出口３１に落下して回収される。
【００２４】
逆に、選別処理状態Ｑにある選別装置４の全体を台２上で支軸１８を中心に９０度回動させれば、籾摺り選別機１を脱ぷ処理状態Ｐに戻すことができる。
本実施形態は下記の効果を有する。
【００２５】
（１）  脱ぷ処理状態Ｐにおいて、脱ぷ装置３の出口２１と選別装置４の入口３０とを互いに分離するとともに、選別装置４の風口２５を脱ぷ装置３の出口２１に対し分離して、台２上に脱ぷ装置３と選別装置４とを互いに独立して並設したので、脱ぷ装置３のみを独立して機能させて、玄米と籾殻とを含む混合米を玄米と籾殻との選別前に回収することができる。脱ぷ後は、選別装置４を脱ぷ装置３に対し回動させるだけの容易な切替え操作により、選別装置４の風口２５を脱ぷ装置３の出口２１に対し接続して選別処理状態Ｑにすることができる。その選別処理状態Ｑにおいて、脱ぷ装置３の出口２１からの風を選別装置４の風口２５で有効に利用して選別装置４を機能させ、脱ぷされた混合米を玄米と籾殻とに選別してそれらを回収することができる。このような設計を採用して、籾摺り選別機１を携帯に便利なように小型化することが可能となる。
【００２６】
（２）  脱ぷ装置３と選別装置４とでファン９を兼用しているので、電力を節約することができるとともに従来の大型の籾摺り選別機とは異なり大きな電力を必要とせず、自動車のシガレットソケット及びバッテリーなどを利用することができる。従って、コンバインで本格的に稲を刈り取る前に現地の圃場などで少量の生籾を籾摺り選別する作業を容易に行なうことができる。また、屋内において家庭用１００Ｖ電源も利用することができる。
【００２７】
（３）  選別処理状態Ｑにおいて、脱ぷ室８で籾を円滑に脱ぷすることができる風力のまま出口２１から風口２５に風を送っても、抵抗板２５ａで弱められた風により混合米を円滑に選別して玄米と籾殻とに分離することができる。
【００２８】
（４）  脱ぷ装置３において入口２０から脱ぷ室８に供給する籾の量をシャッター１７により調整して籾の脱ぷ機能を高めることができる。また、選別装置４において入口３０から供給する混合米の量をシャッター３２により調整して玄米と籾殻との分離機能を高めることができる。
【００２９】
（５）  脱ぷ装置３の入口２０のシャッター１７を選別処理状態Ｑで閉状態Ｂを維持するようにストッパ３７により規制したので、選別処理状態Ｑで入口２０に籾が不用意に供給されても、その籾が出口２１を経て選別装置４の風口２５から入り込んで入口３０からの混合米と混ざり合うおそれはなくなり、入口３０から供給された混合米のみを選別して玄米と籾殻との分離機能を高めることができる。
【００３０】
（６）  脱ぷ装置３において、ファン９を脱ぷ室８で鉛直の回転軸１０を中心に回転させ、入口２０を脱ぷ室８上に配設し、籾を回転軸１０の周辺で羽根室１４に入口２０から供給したので、籾を回転軸１０の外周で平均的に分散して脱ぷして籾の脱ぷ機能を高めることができる。
【００３１】
前記実施形態以外にも例えば下記のように構成してもよい。
・  前記実施形態では選別装置４を脱ぷ装置３に対し回動させたが、逆に脱ぷ装置３を選別装置４に対し回動させたり、選別装置４と脱ぷ装置３とを共に回動させたりしてもよい。
【００３２】
・  選別装置４を脱ぷ装置３に対し回動させずに、選別処理状態Ｑで脱ぷ装置３の出口２１と選別装置４の風口２５とを可撓管で着脱可能に接続して、脱ぷ処理状態Ｐでその可撓管を取り外してもよい。
【００３３】
・  収容袋３５に混合米を回収しない場合には、収容袋３５に代えて、脱ぷ装置３の出口２１と選別装置４の入口３０とを可撓管で着脱可能に接続して混合米を出口２１から入口３０に自動供給してもよい。
【００３４】
・  前記実施形態ではファン９が鉛直の回転軸１０を中心に回転するが、ファンが水平の回転軸を中心に回転するようにしてもよい。
・  選別装置４の風口２５の抵抗手段としては、複数の通風孔を形成した抵抗板２５ａ以外に、脱ぷ装置３の出口２１から風口２５に至る前の通路で通路容積を大きくした風力減少室を設けてもよい。
【００３５】
・  ホッパー７のシャッター１７やホッパー２８のシャッター３２を省略したり、ストッパ３７を省略したりしてもよい。
【符号の説明】
【００３６】
１…籾摺り選別機、２…台、３…脱ぷ装置、４…選別装置、８…脱ぷ室、９…ファン、１０…ファンの回転軸（鉛直軸）、１７…脱ぷ装置のシャッター、２０…脱ぷ装置の入口、２１…脱ぷ装置の出口、２５…選別装置の風口、２５ａ…風口の抵抗板（抵抗手段）、２６…導入通路（選別室）、２７…浮遊通路（選別室）、２９…籾殻の排出口、３０…混合米の入口、３１…玄米の排出口、３２…選別装置のシャッター、３７…ストッパ、Ｐ…脱ぷ処理状態、Ｑ…選別処理状態、Ａ…シャッターの開状態、Ｂ…シャッターの閉状態。
【図１】
2013039537.tif 000003
【図２】
2013039537.tif 000004
【図３】
2013039537.tif 000005
【図４】
2013039537.tif 000006
【図５】
2013039537.tif 000007
【図６】
2013039537.tif 000008
【図７】
2013039537.tif 000009